【手続補正書】
【提出日】平成18年5月15日(2006.5.15)
【手続補正１】
【補正対象書類名】明細書
【補正対象項目名】特許請求の範囲
【補正方法】変更
【補正の内容】
【特許請求の範囲】
【請求項１】
複数の信号線と、走査線と、複数のトランジスタと、を有し、発光素子に流れる電流で輝度が決定される表示装置であって、
第１の信号線にソース又はドレインの一方が電気的に接続され、前記走査線にゲートが電気的に接続される第１のトランジスタと、
発光素子にソース又はドレインの一方が電気的に接続され、ソース又はドレインの他方がアノードに接続され、ゲートが前記第１のトランジスタのソース又はドレインの他方に電気的に接続される第２のトランジスタと、
第２の信号線にソース又はドレインの一方が電気的に接続され、前記走査線にゲートが電気的に接続される第３のトランジスタと、
前記発光素子にソース又はドレインの一方が電気的に接続され、ソース又はドレインの他方がアノードに接続され、ゲートが前記第３のトランジスタのソース又はドレインの他方に接続される第４のトランジスタと、
を有することを特徴とする表示装置。
【請求項２】
複数の信号線と、走査線と、複数のトランジスタと、を有し、発光素子に流れる電流で輝度が決定される表示装置であって、
第１の信号線にソース又はドレインの一方が電気的に接続され、前記走査線にゲートが電気的に接続される第１のトランジスタと、
発光素子にソース又はドレインの一方が電気的に接続され、ソース又はドレインの他方がアノードに接続され、ゲートが前記第１のトランジスタのソース又はドレインの他方に電気的に接続される第２のトランジスタと、
第２の信号線にソース又はドレインの一方が電気的に接続され、前記走査線にゲートが電気的に接続される第３のトランジスタと、
前記発光素子にソース又はドレインの一方が電気的に接続され、ソース又はドレインの他方がアノードに接続され、ゲートが前記第３のトランジスタのソース又はドレインの他方に接続される第４のトランジスタと、
を有し、
前記第２のトランジスタの電流能力と、前記第４のトランジスタとの電流能力とは異なることを特徴とする表示装置。
【請求項３】
複数の信号線と、走査線と、複数のトランジスタと、を有し、発光素子に流れる電流で輝度が決定される表示装置であって、
第１の信号線にソース又はドレインの一方が電気的に接続され、前記走査線にゲートが電気的に接続される第１のトランジスタと、
発光素子にソース又はドレインの一方が電気的に接続され、ソース又はドレインの他方がアノードに接続され、ゲートが前記第１のトランジスタのソース又はドレインの他方に電気的に接続される第２のトランジスタと、
第２の信号線にソース又はドレインの一方が電気的に接続され、前記走査線にゲートが電気的に接続される第３のトランジスタと、
前記発光素子にソース又はドレインの一方が電気的に接続され、ソース又はドレインの他方がアノードに接続され、ゲートが前記第３のトランジスタのソース又はドレインの他方に接続される第４のトランジスタと、
を有し、
前記第２のトランジスタのゲートドレイン間電圧と、前記第４のトランジスタのゲートドレイン間電圧とは異なることを特徴とする表示装置。
【請求項４】
複数の信号線と、走査線と、複数の電源線と、複数のトランジスタと、を有し、発光素子に流れる電流で輝度が決定される表示装置であって、
第１の信号線にソース又はドレインの一方が電気的に接続され、前記走査線にゲートが電気的に接続される第１のトランジスタと、
発光素子にソース又はドレインの一方が電気的に接続され、ソース又はドレインの他方がアノードに接続され、ゲートが前記第１のトランジスタのソース又はドレインの他方に電気的に接続される第２のトランジスタと、
前記第２のトランジスタのゲートと、第１の電源線との間に電気的に接続される第１の容量素子と、
第２の信号線にソース又はドレインの一方が電気的に接続され、前記走査線にゲートが電気的に接続される第３のトランジスタと、
前記発光素子にソース又はドレインの一方が電気的に接続され、ソース又はドレインの他方がアノードに接続され、ゲートが前記第３のトランジスタのソース又はドレインの他方に接続される第４のトランジスタと、
前記第４のトランジスタのゲートと、第２の電源線との間に電気的に接続される第２の容量素子と、
を有することを特徴とする表示装置。
【請求項５】
複数の信号線と、走査線と、複数の電源線と、複数のトランジスタと、を有し、発光素子に流れる電流で輝度が決定される表示装置であって、
第１の信号線にソース又はドレインの一方が電気的に接続され、前記走査線にゲートが電気的に接続される第１のトランジスタと、
発光素子にソース又はドレインの一方が電気的に接続され、ソース又はドレインの他方がアノードに接続され、ゲートが前記第１のトランジスタのソース又はドレインの他方に電気的に接続される第２のトランジスタと、
前記第２のトランジスタのゲートと、第１の電源線との間に電気的に接続される第１の容量素子と、
第２の信号線にソース又はドレインの一方が電気的に接続され、前記走査線にゲートが電気的に接続される第３のトランジスタと、
前記発光素子にソース又はドレインの一方が電気的に接続され、ソース又はドレインの他方がアノードに接続され、ゲートが前記第３のトランジスタのソース又はドレインの他方に接続される第４のトランジスタと、
前記第４のトランジスタのゲートと、第２の電源線との間に電気的に接続される第２の容量素子と、
を有し、
前記第２のトランジスタの電流能力と、前記第４のトランジスタとの電流能力とは異なることを特徴とする表示装置。
【請求項６】
複数の信号線と、走査線と、複数の電源線と、複数のトランジスタと、を有し、発光素子に流れる電流で輝度が決定される表示装置であって、
第１の信号線にソース又はドレインの一方が電気的に接続され、前記走査線にゲートが電気的に接続される第１のトランジスタと、
発光素子にソース又はドレインの一方が電気的に接続され、ソース又はドレインの他方がアノードに接続され、ゲートが前記第１のトランジスタのソース又はドレインの他方に電気的に接続される第２のトランジスタと、
前記第２のトランジスタのゲートと、第１の電源線との間に電気的に接続される第１の容量素子と、
第２の信号線にソース又はドレインの一方が電気的に接続され、前記走査線にゲートが電気的に接続される第３のトランジスタと、
前記発光素子にソース又はドレインの一方が電気的に接続され、ソース又はドレインの他方がアノードに接続され、ゲートが前記第３のトランジスタのソース又はドレインの他方に接続される第４のトランジスタと、
前記第４のトランジスタのゲートと、第２の電源線との間に電気的に接続される第２の容量素子と、を有し、
前記第２のトランジスタのゲートドレイン間電圧と、前記第４のトランジスタのゲートドレイン間電圧とは異なることを特徴とする表示装置。
【請求項７】
請求項２、請求項３、請求項５、請求項６のいずれか一において、
前記第２のトランジスタのゲートと、前記第１の容量素子は、アナログ信号が入力される信号線と電気的に接続されることを特徴とする表示装置。
【請求項８】
請求項２、請求項３、請求項５、請求項６、請求項７のいずれか一において、
前記第１の電源線と、前記第２の電源線とは共有されることを特徴とする表示装置。
【請求項９】
請求項２、請求項３、請求項５、請求項６、請求項７、請求項８のいずれか一において、
前記第１の電源線と、前記第２の電源線とは、前記第１の信号線と共有されることを特徴とする表示装置。
【請求項１０】
請求項１乃至請求項９のいずれか一において、
前記第２のトランジスタ電流能力は、前記第４のトランジスタとの電流能力より高く、高階調表示を行うことを特徴とする表示装置。
【請求項１１】
請求項１乃至請求項１０のいずれか一において、
前記第４のトランジスタ電流能力は、前記第２のトランジスタとの電流能力より低く、低階調表示を行うことを特徴とする表示装置。
【請求項１２】
請求項１乃至請求項１１のいずれか一において、
前記アノードと、前記第２の信号線とは共有されることを特徴とする表示装置。
【請求項１３】
請求項１乃至請求項１２のいずれか一において、
前記第１のトランジスタ及び前記第３のトランジスタはスイッチングとして機能することを特徴とする表示装置。
【請求項１４】
請求項１乃至請求項１３のいずれか一において、
前記第２のトランジスタ及び前記第４のトランジスタは駆動用トランジスタとして機能することを特徴とする表示装置。
【請求項１５】
請求項１４において、
前記発光素子の輝度に応じて、前記駆動用トランジスタとして機能するトランジスタを選択する手段を有することを特徴とする表示装置。